(57)【要約】【課題】  建築物の外装用パネルを効率よく取り付けるための取付工法及びその工法に使用するパネル取付手段を提供する。【解決手段】  一定間隔に立設した柱体５の所定の位置に、パネル取付手段５００を所定個数取り付け、その後、位置決め手段６１を備えた縦支持部材５５を柱体５に添わせて配置し、上記位置決め手段６１を柱体５の上方に当接して位置決めをした後、この縦支持部材５５を上記パネル取付手段５００に取り付けた後、上記縦支持部材５５に横支持部材５６を取り付け、さらに上記横支持部材５６にパネル４を取り付ける。【選択図】図４
2006063685.tif 000002
【特許請求の範囲】
【請求項１】
一定間隔に立設した柱体の所定の位置に、パネル取付手段を所定個数取り付け、次いで位置決め手段を備えた縦支持部材を柱体に添わせて配置し、上記位置決め手段を上記柱体を連結する梁部又は柱体に当接して位置決めをした後、この縦支持部材を上記パネル取付手段に取り付け、その後上記縦支持部材に横支持部材を取り付け、さらに上記横支持部材にパネルを取り付けてなるパネル取付工法。
【請求項２】
位置決め手段を備えた縦支持部材を、柱体を連結する上方の梁部と下方の梁部に添わせて配置し、上記位置決め手段を上方の梁部に当接して位置決めをした後、締結手段で位置決め手段を梁部に取り付け、その後下方の梁部の所定位置にパネル取付手段を所定個数取り付けて、このパネル取付手段に上記縦支持部材を取り付け、その後上記縦支持部材に横支持部材を取り付け、さらに上記横支持部材にパネルを取り付けてなるパネル取付工法。
【請求項３】
柱体あるいは梁部に取り付け可能なＵボルトと、このＵボルトを取り付けるためのプレートを構成し、上記プレート表面に直角に取付金具を固定し、この取付金具に、縦支持部材を締め付けて固定するためのボルトを取り付けてなるパネル取付手段。
【発明の詳細な説明】
【技術分野】
【０００１】
本発明は、車庫等の建築物の外装用パネルの取付工法及びその工法に使用するパネル取付手段に関するものである。
【背景技術】
【０００２】
従来の外装用のパネルの取付方法は図１６に示すものである。これによれば、建物の柱体９１の一部にボルト９３挿通用の孔９２を穿設する。一方、端部に角パイプ９５を固定したアングル９４を構成し、このアングル９４をボルト９３によって柱体９１に固定する。その後、上記角パイプ９５にパネル９６を取り付けるものであった。
【０００３】
上記従来の方法によればアングル９４を取り付けるために柱体９１に孔９２を穿設する作業が必要である。この作業自体労力と時間を費やすものである。その上、孔９２の位置決め作業が困難であり、その結果パネル９６の高さを揃えた正確な取付作業を行なうために多くの時間と労力が費やさなくてはならないという問題点があった。
【発明の開示】
【発明が解決しようとする課題】
【０００４】
本発明は上記の点に鑑みなされたものであり、簡易な工法であり、柱体に孔を穿設する必要がなく、かつパネルの位置決めを容易、確実に行なえるパネル取付工法及びそれに用いるパネル取付手段を提供するものである。
【課題を解決するための手段】
【０００５】
本発明の要旨とするところは、一定間隔に立設した柱体の所定の位置に、パネル取付手段を所定個数取り付け、次いで位置決め手段を備えた縦支持部材を柱体に添わせて配置し、上記位置決め手段を上記柱体を連結する梁部又は柱体に当接して位置決めをした後、この縦支持部材を上記パネル取付手段に取り付け、その後上記縦支持部材に横支持部材を取り付け、さらに上記横支持部材にパネルを取り付けてなるパネル取付工法にある。
【０００６】
また本発明の要旨とするところは、位置決め手段を備えた縦支持部材を、柱体を連結する上方の梁部と下方の梁部に添わせて配置し、上記位置決め手段を上方の梁部に当接して位置決めをした後、締結手段で位置決め手段を梁部に取り付け、その後下方の梁部の所定位置にパネル取付手段を所定個数取り付けて、このパネル取付手段に上記縦支持部材を取り付け、その後上記縦支持部材に横支持部材を取り付け、さらに上記横支持部材にパネルを取り付けてなるパネル取付工法にある。
【０００７】
また本発明の要旨とするところは、柱体あるいは梁部に取り付け可能なＵボルトと、このＵボルトを取り付けるためのプレートを構成し、上記プレート表面に直角に取付金具を固定し、この取付金具に、縦支持部材を締め付けて固定するためのボルトを取り付けてなるパネル取付手段にある。
【発明の効果】
【０００８】
本発明のパネル取付工法によれば、パネル取付作業において、柱体に対する孔の穿設を行なう必要がないため、熟練が要求されるパネルの位置決め作業及びパネルの取付作業が容易かつ迅速に行なえる。そのため作業工程の省略と作業時間の短縮が図れ、かつ簡易な工法のため熟練作業者でなくても、確実にパネルを取り付けることができる等の効果を奏する。
また、本発明のパネル取付手段は、簡易な構成であり、上記パネル取付作業において作業者が迅速確実にパネルの位置決め作業あるいはパネル取付作業を行なうことができる等の効果を奏する。
【発明を実施するための最良の形態】
【０００９】
本発明を実施するための最良の形態は、一定間隔に立設した柱体の所定の位置にパネル取付手段を所定個数取り付け、次いで位置決め手段を備えた縦支持部材を柱体に添わせて配置し、上記位置決め手段を上記柱体を連結する梁部に当接して位置決めをした後、この縦支持部材を上記パネル取付手段に取り付け、その後上記縦支持部材に横支持部材を取り付け、さらに上記横支持部材にパネルを取り付けてなるパネル取付工法であり、
上記パネル取付手段が、柱体あるいは梁部に取り付け可能なＵボルトと、このＵボルトを取り付けるためのプレートを構成し、上記プレート表面に直角に取付金具を固定し、この取付金具に、縦支持部材を締め付けて固定するためのボルトを取り付けてなるものである。
【実施例１】
【００１０】
図１は本発明を用いて作成した車庫の概略斜視図、図２は後面パネルの施工状態を示す一部切欠正面図、図３は左側面パネルの施工状態を示す一部切欠正面図、図４は図１のＡ矢視要部側面図、図５は図１のＢ矢視要部側面図、図６は位置決め手段の正面図、図７は位置決め手段の平面図、図８はパネル取付手段の正面図、図９はパネル取付手段の平面図、図１０はパネル取付手段の側面図、図１１は位置決め手段の正面図、図１２は位置決め手段の平面図、図１３はパネル取付手段の正面図、図１４はパネル取付手段の側面図、図１５はパネル取付手段の平面図及び図１６は従来例の説明図である。なお、上記各図のうち必要に応じてボルトの詳細等を省略した。
【００１１】
まず、パネル取付工法に使用するパネル取付手段の構成を説明する。本実施例では車庫の外壁表面に取り付けるパネルの取り付けについて説明する。
図１に示すように、車庫１は、右側面パネル２と左側面パネル３及び後方に設けた後面パネル４からなり、これらの各パネルは柱体５、梁部６，７等で取り付けられて車庫を構築している。
【００１２】
図２に示すように、後面パネル４は、一定間隔に立設した８本の柱体５に固定された８本の縦支持部材５５と８本の横支持部材５６によって取り付けられていて、上部は柱体５の上端より突出し、下部は地面から一定の高さを有している。この後面パネル４及び後述の左側面パネル３の下端は地面と接触していても良い。
【００１３】
図３に示すように、左側面パネル３は、両側の柱体５とこの柱体５の上端と略中央部を連結する水平な２本の梁部６，７に固定された３本の縦支持部材５５と８本の横支持部材５６によって取り付けられていて、上記後面パネル４と同様、上部は柱体５の上端より突出し下部は地面から一定の高さを有している。なお右側面パネル２は左側面パネル３と対象のため説明を省略する。
【００１４】
また、上記縦支持部材５５は、長尺の、断面Ｌ字形の金属板いわゆるＬアングルであり、横支持部材５６は長尺の角パイプである。この縦支持部材５５と横支持部材５６は互いに直交して取り付けられている。そのため本実施例では縦支持部材５５は垂直で横支持部材５６は水平に取り付けられているが、取付方法はこれに限定されないものとする。
また、上記柱体５、梁部６，７、縦支持部材５５あるいは横支持部材５６及び後述の位置決め手段６１，７１やパネル取付手段５００，７００の形状、材質、設置数は任意であり本実施例に限定されない。
【００１５】
図４は図１のＡ矢視要部側面図であり、後面パネル４の取付状態を示している。この図から分かるように、上方の梁部６の上端には位置決め手段６１が当接していて、柱体５の３ケ所にパネル取付手段５００が取り付けられている。
【００１６】
上記位置決め手段６１は、図６及び図７に示すようにＬアングルからなり、一端をボルト６２によって縦支持部材５５に水平に締結されている。このように位置決め手段６１は、予め縦支持部材５５の定められた位置に固定されているから、取付時の縦支持部材５５の上端の高さは一定となり、容易、確実に位置決めをすることができる。そのためすべての縦支持部材５５の上端を確実に揃えることができるのである。
【００１７】
上記パネル取付手段５００は図８乃至図１０に示すように、締結手段である棒状の鋼材からなるＵボルト５１と、このＵボルト５１を取り付けるプレート５２と、このプレート５２に固定した取付金具５３及びこの取付金具５３に設けられた締結手段である棒状の鋼材からなるボルト５４等からなる。
【００１８】
上記Ｕボルト５１はパネル取付手段５００を柱体５に取り付けるための締結手段であり、ナット５１１を締め付けることによって柱体５に固定する。
上記取付金具５３はＬアングルからなり、上記プレート５２表面に対して直角に取り付けられていて水平に張り出している。この取付金具５３には三角形状のボルト５４が設けられていて、ナット５４１を締め付けることにより縦支持部材５５を取付金具５３に固定するのである。
【００１９】
図５は図１のＢ矢視要部側面図であり、左側面パネル３の取付状態を示している。この図から分かるように、上方の梁部６の上端には位置決め手段７１が当接していて、下方の梁部７にパネル取付手段７００が取り付けられている。
【００２０】
上記位置決め手段７１は図１１及び図１２に示すようにＬアングルからなり、縦支持部材５５にボルト６３で固定されていて、Ｕボルト７９とナット７１１によって梁部７に取り付けられるのであり、パネル取付手段の作用も有している。
【００２１】
そして、梁部７に取り付けられたパネル取付手段７００は、図１３乃至図１５に示すように、Ｕボルト７６と、このＵボルト７６を取り付けるプレート７２と、このプレート７２に固定した取付金具７３及びこの取付金具７３に設けられた締結手段であるボルト７４等からなる。
【００２２】
上記Ｕボルト７６はパネル取付手段７００を梁部７に取り付けるための締結手段であり、ナット７６１を締め付けることによって梁部７に固定する。
上記取付金具７３はＬアングルからなり、上記プレート７２表面に対して直角に水平状態で固定されている。この取付金具７３には三角形状のボルト７４が設けられていて、ナット７４１を締め付けることによって取付金具７３を縦支持部材５５に固定する。
【実施例２】
【００２３】
上記のように構成したパネル取付手段を用いたパネル取付工法を説明する。
まず後面パネル４を取り付ける場合を説明する。
図４、図６乃至図１０に示すように、適当な間隔をあけて３個のＵボルト５１をナット５１１を締め付けて、プレート５２と共に柱体５に取り付ける。このプレート５２には予め取付金具５３が溶接されている。この場合、各Ｕボルト５１の間隔は厳格な位置決めは必要でなく、作業に邪魔にならない所で間隔を開けて取り付ければよい。
その後、縦支持部材５５を柱体５に添わせて配置する。このとき図６に示すように縦支持部材５５の上部に固定した位置決め手段６１が梁部６上端に当接して、縦支持部材５５の位置決めするため、すべての後面パネル４の上端は予め定められた高さに揃うのである。
【００２４】
次に上記縦支持部材５５の表面に取付金具５３を当て、縦支持部材５５にボルト５４を掛け渡しナット５４１で締め付けて、縦支持部材５５をパネル取付手段５００に固定する。
この作業をすべての柱体５について行った後、すべての縦支持部材５５に８本の角パイプ５６を水平に、かつ一定間隔を有して取り付けてから、上記角パイプ５６の上に後面パネル４を取り付けるのである。
【００２５】
次に、左側面パネル３を取り付ける場合を説明する。
図５、図１１乃至図１５に示すように、位置決め手段７１を予め固定してある３本の縦支持部材５５を梁部６，７の近傍に添わせて配置する。このとき縦支持部材５５の上端は上記位置決め手段７１によって、予め定められた高さに配置される。
その後、適当な間隔をあけて３個のＵボルト７９を上方の梁部６に掛け渡しナット７１１で位置決め手段７１を締め付けて、梁部６に位置決め手段７１を固定する。
【００２６】
次いで、下方の梁部７の適当な位置に、所定個数のＵボルト７６を間隔をあけてプレート７２を介してナット７６１で取り付ける。このプレート７２には予め取付金具７３が水平に張り出した状態で溶接されている。
そして、縦支持部材５５にボルト７４を掛け渡し、ナット７４１で締め付けて、縦支持部材５５をパネル取付手段７００に固定する。
その後、上記３本の縦支持部材５５に８本の横支持部材５６である角パイプを水平に取り付け、この角パイプ５６に左側面パネル３を取り付ける。最後に、上記後面パネル１と左側面パネル３の端部を連結して完成する。
なお、右側面パネル２も上記と同様の工程で取り付けるのである。
【００２７】
以上のように、本実施例によれば簡易な構成かつ容易な操作でありながら、パネルの位置決めを自動的に行い、位置決め手段やパネル取付手段を柱体や縦支持部材に対してボルトの締結によって容易確実に取り付けることができるため、容易、確実にパネルの取付作業ができると共に作業時間の大幅な短縮が図れるのである。
【図面の簡単な説明】
【００２８】
【図１】本発明を用いて作成した車庫の概略斜視図
【図２】後面パネルの施工状態を示す一部切欠正面図
【図３】左側面パネルの施工状態を示す一部切欠正面図
【図４】図１のＡ矢視要部側面図
【図５】図１のＢ矢視要部側面図
【図６】位置決め手段の正面図
【図７】位置決め手段の平面図
【図８】パネル取付手段の正面図
【図９】パネル取付手段の平面図
【図１０】パネル取付手段の側面図
【図１１】位置決め手段の正面図
【図１２】位置決め手段の平面図
【図１３】パネル取付手段の正面図
【図１４】パネル取付手段の側面図
【図１５】パネル取付手段の平面図
【図１６】従来例の説明図
【符号の説明】
【００２９】
１  車庫  
２  右側面パネル
３  左側面パネル
４  後面パネル
５  柱体
６  梁部
７  梁部
５１  Ｕボルト
５２  プレート
５３  取付金具
５４  ボルト
５５  縦支持部材
５６  横支持部材
６１  位置決め手段
７１  位置決め手段
７２  プレート
７３  取付金具
７４  ボルト
７６  Ｕボルト
７９  Ｕボルト
５００  パネル取付手段
７００  パネル取付手段
【図１】
2006063685.tif 000003
【図２】
2006063685.tif 000004
【図３】
2006063685.tif 000005
【図４】
2006063685.tif 000006
【図５】
2006063685.tif 000007
【図６】
2006063685.tif 000008
【図７】
2006063685.tif 000009
【図８】
2006063685.tif 000010
【図９】
2006063685.tif 000011
【図１０】
2006063685.tif 000012
【図１１】
2006063685.tif 000013
【図１２】
2006063685.tif 000014
【図１３】
2006063685.tif 000015
【図１４】
2006063685.tif 000016
【図１５】
2006063685.tif 000017
【図１６】
2006063685.tif 000018